(57)【要約】      （修正有）【課題】種々の目的地に誘導する案内情報を、容易に携帯通信端末に配信することができる情報配信板及び情報配信システムを提供する。【解決手段】現在場所の確認情報や、目的地の案内情報及びそれに関連する情報を、近くの携帯通信端末に配信できる情報配信板及び情報配信システムに関し、可視情報と、当該可視情報に関連する非可視通信情報を電波又は光を用いて送信する送信機を有する情報配信板、及び前記情報配信板から非可視通信情報を携帯通信端末に配信する。【選択図】図３
2010193140.tif 000002
【特許請求の範囲】
【請求項１】
可視情報と、当該可視情報に関連する非可視通信情報を電波又は光を用いて送信する送信機を有することを特徴とする情報配信板。
【請求項２】
前記電波又は光の周波数が地上デジタル放送対応のＵＨＦ帯の周波数であり、総務省認可不要の微弱出力である請求項１に記載の情報配信板。
【請求項３】
前記非可視通信情報が、動画情報、静止画情報及び／又は音声情報として送信するものである請求項１又は２に記載の情報配信板。
【請求項４】
前記送信機が、ＵＨＦ帯用送信アンテナとＨＦ帯送信アンテナを有する請求項１〜３のいずれかに記載の情報配信板。
【請求項５】
請求項１〜４のいずれかに記載の情報配信板から非可視通信情報を携帯通信端末に配信することを特徴とする情報配信システム。
【請求項６】
前記非可視通信情報を受信するためのチャンネルを設定するチャンネル設定機で、前記携帯通信端末のチャンネルを設定する請求項５に記載の情報配信システム。
【発明の詳細な説明】
【技術分野】
【０００１】
本発明は、情報配信板及び情報配信システムに関し、詳しくは現在場所の確認情報や、目的地の案内情報及びそれに関連する情報を、近くの携帯通信端末に配信できる情報配信板及び情報配信システムに関する。
【背景技術】
【０００２】
従来から、道路や公園などの公共の場所において、各種の場所や建物に誘導するための案内板が設置されている。この案内板としては、地面に支柱を立てて、その支柱に板状の部材からなる表示板を取り付け、その表示板に文字、模様、記号、図形などを表示したものがある。このような案内板は、案内板の設置場所を避難場所である旨を見る者に認識させたり、トイレ、車椅子で利用できるトイレ、電車の最寄の駅、タクシー乗り場などの標識図柄と、矢印などの図柄を示して、トイレなどの目的地への方向を見る者に認識させて、それらの目的地に誘導することが行われている。また、視覚障害者に対しては、点字を表示し、それらの情報を認識できるようにしている。
【０００３】
さらに、暗い場所でも、認識し易いように、照明付き表示装置も提案されている（特許文献１参照）。
しかし、これらの表示だけでは、表示の意味が理解できなかったり、正確に表示の情報を認識できない場合があった。また、目的地に向かうため案内板の位置を離れたときに、その表示情報の内容を忘れたり、思い違いをして間違って覚えていると、その情報を確認するには、元の案内板の設置場所に戻ることになり、効率的に目的に到達できないことがあった。特に、老人、視覚障害者、外国人などの情報弱者にとっては、その傾向が強いという問題があった。
【０００４】
一方、近年、携帯通信端末でインターネットなどを使用し、目的とする場所に誘導するナビゲーションシステムが利用されている。
しかし、このナビゲーションシステムは、料金がかかり、また、インターネットに接続する操作に時間がかかったり、手軽に、簡単に情報が入手できるものではなかった。
【先行技術文献】
【特許文献】
【０００５】
【特許文献１】特開２００５−１５７０９６号公報
【発明の概要】
【発明が解決しようとする課題】
【０００６】
本発明は、上記従来技術の状況に鑑みてなされたものであり、避難場所や、公共の場所などを始め、種々の目的地に誘導する案内情報を、情報配信板から容易に、簡単に入手できるように、近くの携帯通信端末に配信できる情報配信板及び情報配信システムを提供することを目的とする。
【課題を解決するための手段】
【０００７】
本発明者らは、上記課題を解決するために、可視情報と、当該可視情報に関連する非可視通信情報を電波又は光を用いて送信する送信機を有する情報配信板から発信される情報を、その情報配信板に携帯通信端末を近づけることにより、その携帯通信端末にダウンロードさせ、ダウンロードした情報を何度でも、見ることができるようにすることにより、上記課題が解決できることを見出し、この知見に基づいて本発明を完成するに至った。
【０００８】
すなわち、本発明は、可視情報と、当該可視情報に関連する非可視通信情報を電波又は光を用いて送信する送信機を有することを特徴とする情報配信板を提供するものである。
また、本発明は、上記情報配信板において、前記電波又は光の周波数が地上デジタル放送対応のＵＨＦ帯の周波数であり、総務省認可不要の微弱出力である情報配信板を提供するものである。
【０００９】
また、本発明は、上記情報配信板において、前記非可視通信情報が、動画情報、静止画情報及び／又は音声情報として送信するものである情報配信板を提供するものである。
また、本発明は、上記情報配信板において、前記送信機が、ＵＨＦ帯用送信アンテナとＨＦ帯送信アンテナを有する情報配信板を提供するものである。
また、本発明は、上記いずれかに記載の情報配信板から非可視通信情報を携帯通信端末に配信することを特徴とする情報配信システムを提供するものである。
また、本発明は、上記情報配信板システムにおいて、前記非可視通信情報を受信するためのチャンネルを設定するチャンネル設定機で、前記携帯通信端末のチャンネルを設定する情報配信システムを提供するものである。
【発明の効果】
【００１０】
本発明の情報配信板及び情報配信システムは、避難場所や、公共の場所などを始め、種々の目的地に誘導する案内情報を、近くの携帯通信端末に配信できる情報配信板から、容易に、簡単にそれらの情報を入手できる。
【図面の簡単な説明】
【００１１】
【図１】図１は、本発明の情報配信板の可視情報表示面の一例を示したものである。
【図２】図２は、本発明の情報配信板の可視情報表示面における受信チャンネル設定方法の表示の一例を示したものである。
【図３】図３は情報配信板から非可視通信情報を携帯通信端末により受信する手順を示したフローチャート図である。
【発明を実施するための形態】
【００１２】
本発明の情報配信板は、可視情報と、当該可視情報に関連する非可視通信情報を電波又は光を用いて送信する送信機を有するものである。
ここで、可視情報としては、文字、模様、記号、図形、又はこれらの組み合わせ、あるいはこれらと色彩の組み合わせからなるものなどが挙げられる。具体的には、避難場所の標識図柄、トイレの標識図柄、車椅子で利用できるトイレの標識図柄、電車の最寄の駅の標識図柄、タクシー乗り場の標識図柄などの各種の標識図柄、及びそれらの標識図柄の案内方向を示す矢印などが挙げられる。これらの標識図柄は、情報配信板に、１個表示されていてもよいし、２個以上の複数個表示されていてもよい。
【００１３】
また、他の可視情報としては、「情報バリアフリーワンセグ放送配信中」、「誘導案内情報」、「携帯をここに“タッチ”するとワンセグ放送で各種情報を受信できます。」、「受信チャンネル設定板」などの情報配信サービス内容の標語の一部又は全部の単語、文節、又は文章や、その内容を示した図柄などが挙げられる。また、各国言語毎の情報を提供するための受信チャンネルの表示として、「日本語案内はこちらをタッチ（ＣＨ．番号）」、「Ｅｎｇｌｉｓｈ（ＣＨ．Ｎｏ.）」などの標語の一部又は全部の単語、文節、又は文章や、その内容を示した図柄などが挙げられる。さらに、「段差解消案内はこちらをタッチ（ＣＨ．番号）」などの標語の一部又は全部の単語、文節、又は文章や、その内容を示した図柄などが挙げられる。
【００１４】
また、文字は、視覚障害者のために、可視情報と、点字を併用して表示されることが好ましい。さらに、文字は、日本語だけでなく、英語などの外国の各国語で表示してもよい。
上記非可視通信情報としては、可視情報に関連する、動画情報、静止画情報及び／又は音声情報などが挙げられる。具体的には、避難場所の非可視通信情報、トイレの非可視通信情報、車椅子で利用できるトイレの非可視通信情報、電車の最寄の駅の非可視通信情報、タクシー乗り場の非可視通信情報などの各種の非可視通信情報が挙げられる。非可視通信情報の具体例として、情報配信板から目的地までの経路を実際に歩きながら、周りの風景と共に撮影した動画や静止画等の映像や、その映像に合わせて誘導する音声などを挙げることができる。
【００１５】
本発明の情報配信板には、上記非可視通信情報を電波又は光を用いて送信する送信機が備えられている。
送信機で使用する電波又は光は、送信機から遠く離れた場所まで送信する必要はなく、送信機に近い場所に送信できればよいので、微弱出力の周波数であってもよい。好ましい送信機は、微弱出力の周波数の電波又は光により通信が可能な、近距離無線通信用の送信機である。
【００１６】
前記電波の周波数として具体的には、地上デジタル放送対応のＵＨＦ帯の周波数、総務省認可不要の微弱出力の周波数などが挙げられる。２０１２年に改定される電波法では、微弱無線局の３ｍの距離における電界強度の許容値について、周波数が３２２ＭＨｚまでは電界強度が５００μＶ／ｍ以下、周波数が３２２ＭＨｚ〜１０ＧＨｚの間は電界強度が３５μＶ／ｍ以下、１０〜１５０ＧＨｚの間は電界強度がその周波数の増加につれて一定の割合で３５〜５００μＶ／ｍの間で増加した値以下、１５０ＧＨｚ以上では５００μＶ／ｍ以下であることが定められている。
【００１７】
これらの条件を満たす場合は、電波法に基づく免許は不要であり、本発明に用いる電波の周波数は、電波法に基づく免許が不要であることが好ましい。この電波法によって、免許が不要である電波としては、例えば、フェリカ（“Ｆｅｌｉｃａ”登録商標）リーダの周波数１３．５６ＭＨｚ（微弱無線局の電界強度５００μＶ／ｍ）、ワンセグ配信の周波数４７０〜７７０ＭＨｚ（微弱無線局の電界強度３５μＶ／ｍ）、ＵＨＦ−Ｌの周波数９０〜１０８ＭＨｚ（微弱無線局の電界強度５００μＶ／ｍ）、ＵＨＦ−Ｈの周波数２０５〜２２２ＭＨｚ（微弱無線局の電界強度５００μＶ／ｍ）などが挙げられる。
また、光としては、可視光、赤外線光、紫外線光などが挙げられる。
【００１８】
上記送信機には、少なくとも、非可視通信情報を電波又は光を用いて発信できる送信アンテナ、及びコンピュータが備えられている。
送信アンテナとしては、ＵＨＦ帯用送信アンテナ、ＨＦ帯送信アンテナなどが挙げられる。具体的には、ＵＨＦ帯用送信アンテナとしては、ワンセグアンテナなどが挙げられ、ＨＦ帯送信アンテナとしては、フェリカ（“Ｆｅｌｉｃａ”登録商標）アンテナなどが挙げられる。
【００１９】
アンテナからは、常時、非可視通信情報を発信させてもよいが、携帯通信端末に非可視通信情報を受信できる態勢、又はそれに類似の態勢になった場合に、非可視通信情報を発信させることが好ましい。具体的には、近くに人を感じる人感センサーが作動した場合に非可視通信情報の発信を行うことや、携帯通信端末を情報配信板にかざした場合に非可視通信情報の発信を行うことや、情報配信板に備えられたスイッチを入れた場合に非可視通信情報の発信を行うことなどが好ましい。
【００２０】
これらの場合には、情報配信板には、人感センサー、携帯通信端末がかざされた状態を認識できるセンサー、手や物が触れた場合に配信をスタートするスイッチなどの各種センサーが備えられていることが好ましい。なお、情報配信板に、標識図柄が２個以上の複数個表示されている場合には、全ての非可視通信情報を順次発信させることができるが、入手が必要とされる各標識図柄毎の非可視通信情報を発信させることが好ましい。この場合、各標識図柄に関する非可視通信情報が混信しないようにするために、各標識図柄毎にスイッチなどのセンサーを設けることが好ましい。
【００２１】
なお、アンテナは、電磁誘導回路を有しているものが好ましく、例えば、フェリカアンテナは、フェリカ回路を有している。電磁誘導回路は、非接触ＩＣカード技術に沿って構成された近距離無線通信回路であり、送信アンテナを通じて非可視通信情報をやり取りすることができる。
コンピュータは、非可視通信情報の格納、非可視通信情報の配信などをコントロールすることができる機能を有する。上記センサーが設置されている場合、センサーに連結しているコンピュータは、非可視通信情報の配信を指示し、アンテナから非可視通信情報が配信される。
【００２２】
本発明の情報配信板は、前記非可視通信情報を受信するためのチャンネルを設定するチャンネル設定機を設けることが好ましい。例えば、携帯通信端末を特定の標識図柄案内のスイッチに触れさせると、情報配信板に備えられたフェリカリーダなどのワンセグ受信チャンネル設定機により、携帯通信端末のワンセグ受信チャンネルが自動的に設定されることが好ましい。この場合、携帯通信端末には、フェリカ機能などのワンセグ受信チャンネル設定に応答する機能が付いているものを使用するとよい。
【００２３】
また、本発明の情報配信板には、日本語を始め、英語、中国語、韓国語など各国語の非可視通信情報を配信するためのスイッチを設けることができる。具体的には、例えば、携帯通信端末を日本語案内のスイッチに触れると、情報配信板に備えられたフェリカリーダなどのワンセグ受信チャンネル設定機により、携帯通信端末のワンセグ受信チャンネルが自動的に設定できることが好ましい。自動的に設定されたワンセグ受信チャンネルには、情報配信板から発信された非可視通信情報を受信することができる。
【００２４】
なお、携帯通信端末がフェリカ機能を有していないときは、情報配信板に示された情報受信チャンネルに、手動で設定することにより、情報配信板から発信された非可視通信情報を受信することができる。
【００２５】
送信機における非可視通信情報の格納は、種々の格納方法により行われるが、例えば、送信機に内蔵されるメモリ機能デバイスや、ＳＤカードなどのメモリーカードや、ＦＯＭＡ（登録商標）カード等のＬＡＮカードに、ダウンロードなどで格納されているものでもよい。
送信機に格納された非可視通信情報は、目的地が変更された場合などに、更新する必要があるが、非可視通信情報の更新は、上記カードを、更新した非可視通信情報を格納したカードと入れ替えることにより、又はカードは入れ替えずに、インターネットなどを通じて、非可視通信情報をダウンロードさせることにより、行うことができる。インターネットなどを通じて、非可視通信情報をダウンロードさせる場合は、携帯通信端末に非可視通信情報の受信アンテナを備えることが必要である。
【００２６】
本発明の情報配信システムは、本発明の情報配信板から非可視通信情報を携帯通信端末に配信することができる。
送信アンテナから送信された電波又は光は、送信機の近くの携帯通信端末に受信され、携帯通信端末のモニター画面やスピーカーなどを通じて、携帯通信端末を利用する人に、可視情報に関連する、動画情報、静止画情報及び／又は音声情報などの非可視通信情報を認識させることができる。すなわち、動画情報、静止画情報などの非可視通信情報は、携帯通信端末のモニター画面に映し出されることにより、可視情報として利用者の視覚により、利用者に認識させることができる。また、音声の非可視通信情報は、携帯通信端末のスピーカーから発生させることにより、非可視情報として利用者の聴覚により、利用者に認識させることができる。
【００２７】
携帯通信端末が非可視通信情報を受信するためには、情報配信板からの距離が近いことが好ましく、具体的には３ｍ以内が好ましい。
携帯通信端末で受信した非可視通信情報は、携帯通信端末に、録画、録音などの格納が行われることが好ましい。これにより、情報配信板から離れた場所でも、格納された録画、録音した非可視通信情報を、再生することにより見たり、聞いたりすることができる。
【００２８】
本発明に使用できる携帯通信端末としては、非可視通信情報を録画、録音する機能や、録画、録音した非可視通信情報を再生する機能、再生した非可視通信情報を表示するためのモニター画面やスピーカーなどの機能を有するものであれば、種々の携帯通信端末が使用でき、例えば、市販されている種々のワンセグ機能付きの携帯電話、携帯ゲーム機、小型ノートパソコン等が使用できる。
また、本発明の情報配信板システムにおいて、前記非可視通信情報を受信するためのチャンネルを設定するチャンネル設定機で、前記携帯通信端末のチャンネルを設定することもできる。
【００２９】
次に、本発明を具体例によりさらに詳細に説明する。
本発明の情報配信板の具体例としては、図１に示すように、可視情報として、避難場所の標識図柄、トイレの標識図柄、車椅子で利用できるトイレの標識図柄、電車の最寄の駅の標識図柄、タクシー乗り場の標識図柄などの５種の標識図柄が表示された案内板である情報配信板が挙げられる。なお、図１には図示されていないが、それらの標識図柄についている目的地への概略の方向を示した矢印を表示してもよい。また、それらの標識図柄には、点字を併記することもできる。
【００３０】
この情報配信板には、また、他の可視情報として、「情報バリアフリーワンセグ放送配信中」、「誘導案内情報」、「携帯をここに“タッチ”するとワンセグ放送で各種情報を受信できます。」、「携帯をここにタッチ！」、「ワンセグリーダー」などの文字と、ワンセグリーダーのマークが表示されている。
また、この情報配信板は、日本語の非可視通信情報を配信されるように設定されていてもよいし、チャンネルを選択することにより、日本語、英語、中国語、韓国語などの各国の言語の非可視通信情報を配信されるように設定されていてもよい。
【００３１】
図２は、本発明の情報配信板の可視情報表示面における受信チャンネル設定方法の表示の一例を示したものであり、日本語と英語の非可視通信情報を配信されるように設定されているものである。この情報配信板には、可視情報として、「情報バリアフリーワンセグ放送配信中」、「受信チャンネル設定板」、「携帯をここにタッチ！」、「日本語案内はこちらをタッチ（ＣＨ１５）」、「Ｅｎｇｌｉｓｈ（ＣＨ１６）」、「段差解消案内はこちらをタッチ（ＣＨ１５）」の文字が表示されている。
なお、図１の情報配信板の可視情報と図２の情報配信板の可視情報は、一つの情報配信板の一つの表示面に並べて表示されてもよいし、隣接した別個の情報配信板のそれぞれの表示面に表示されてもよい。
【００３２】
図２の情報配信板に示されている、日本語又は英語の非可視通信情報を配信するためのスイッチに携帯通信端末をタッチさせると、情報配信板に備えられたフェリカリーダなどのワンセグ受信チャンネル設定機により、ワンセグ受信チャンネル自動設定機能を有する携帯通信端末のワンセグ受信チャンネルを自動的に設定することができる。携帯通信端末のスイッチへのタッチは、一度行えばよく、非可視通信情報を入手する毎に携帯通信端末をスイッチへタッチさせる必要はない。ワンセグ受信チャンネル自動設定機能を有しない携帯通信端末の場合は、自動設定できないので、手動でワンセグ受信チャンネルの設定を行うことになる。このように自動的又は手動的に設定されたワンセグ受信チャンネルには、情報配信板から発信された日本語又は英語などの他の国の言語の非可視通信情報を受信することができる。
【００３３】
非可視通信情報の情報配信板からの配信、及び携帯通信端末による受信は、例えば、図３に示されたフローチャートに従って行われる。
最初に、ワンセグ受信チャンネルの設定手順について、詳しく説明する。
上記情報配信板には、人感センサーが備えられている。なお、人感センサーの代わりに、又はそれと共に、携帯通信端末がかざされた状態を認識できるセンサーや、手や物がタッチした場合に配信をスタートするスイッチなどを備えてもよい。
さらに、この情報配信板には、上記センサーに連結しているコンピュータ、及びフェリカアンテナとワンセグアンテナ、並びに前記非可視通信情報を受信するためのチャンネルを設定するチャンネル設定機としてフェリカリーダが設けられている。
【００３４】
非可視通信情報を入手したい人が、携帯通信端末を持って情報配信板に近づくと、情報配信板に供えられている人感センサーが作動し、フェリカアンテナから携帯通信端末がフェリカ機能を装備しているか否かを確認する信号が発信される。次に、携帯通信端末がフェリカ機能を有していると、それを示す信号を、情報配信板のフェリカアンテナが受信し、その後、そのフェリカアンテナから携帯通信端末のワンセグ受信チャンネルが自動的に設定するための情報が発信され、携帯通信端末にワンセグ受信チャンネル設定機能が装備されている場合は、携帯通信端末のワンセグ受信チャンネルが自動的に設定される。
【００３５】
一方、携帯通信端末がフェリカ機能を有していない場合や、携帯通信端末がフェリカ機能を有していても、ワンセグ受信チャンネル設定機能が装備されていない場合は、情報配信板に可視情報として表示されている「ワンセグ受信チャンネル番号」に、携帯通信端末のワンセグ受信チャンネルを利用者が手動で設定する。
ワンセグ受信チャンネルが設定された後、その携帯通信端末を必要としている標識図柄にかざすか、又はタッチさせると、情報配信板に備えられたスイッチが入り、情報配信板のワンセグアンテナから、その標識図柄に関する非可視通信情報が発信され、携帯通信端末で受信し、携帯通信端末のモニター画面やスピーカーにより、画像や音声として、利用者が認識できる。
【００３６】
図１の情報配信板では、ワンセグリーダーのマークに、携帯通信端末をタッチさせると、表示されている５つの標識図柄の非可視通信情報を一度に又は順次受信することができる。なお、５つの標識図柄のいずれかにタッチした後に、ワンセグリーダーのマークに、携帯通信端末をタッチさせると、タッチした標識図柄の非可視通信情報のみを受信することができるようにしてもよい。
また、その標識図柄に関する非可視通信情報を、携帯通信端末にダウンロードすると、情報配信板の設置場所を離れても、非可視通信情報を画像又は音声により再生表示することにより、認識することができる。
【００３７】
このように、情報配信板から受信した非可視通信情報を携帯通信端末にダウンロードすることにより、情報配信板から目的地へ移動しながら携帯通信端末のモニター画面やスピーカーで目的地までの案内情報を随時確認することができ、さらに繰り返し再生することもできるので、迷うことなく目的地まで誘導されることができる。
【産業上の利用可能性】
【００３８】
本発明の情報配信板及び情報配信システムは、避難場所の標識図柄、トイレの標識図柄、車椅子で利用できるトイレの標識図柄、電車の最寄の駅の標識図柄、タクシー乗り場の標識図柄などの目的地に関する各種標識図柄を表示した案内板や、複雑な駅の構内の利用情報、交通機関の利用情報などを表示した案内板などに組み込んで、利用できる。店舗への案内など商業的な利用にも適用できる。
【図１】
2010193140.tif 000003
【図２】
2010193140.tif 000004
【図３】
2010193140.tif 000005